(57)【要約】      （修正有）【課題】畝と畝との間の距離が狭い場合の好適な液体散布装置の提供。【解決手段】液体散布装置Ｄは、タンク１内の液体をポンプＰ’を介して案内する案内通路２と、この案内通路２の先端部に取り付けられたノズルで前記液体を散布する液体散布装置Ｄであって、垂直方向に延びる垂直部を有する第１の部材と、この第１の部材の下方に取り付けられた第１の部材用車輪５と、垂直方向に延びる垂直部を有する第２の部材と、この第２の部材の下方に取り付けられた第２の部材用車輪７と、第２の部材と第１の部材とに接続され、水平方向に延びる第３の部材とを備えた移動体Ｍとを備えている。【選択図】図１
2012231685.tif 000002
【特許請求の範囲】
【請求項１】
タンク内の液体をポンプを介して案内する案内通路と、この案内通路の先端部に取り付けられたノズルで前記液体を散布する液体散布装置であって、
垂直方向に延びる垂直部を有する第１の部材と、この第１の部材の下方に取り付けられた第１の部材用車輪と、垂直方向に延びる垂直部を有する第２の部材と、この第２の部材の下方に取り付けられた第２の部材用車輪と、前記第２の部材と前記第１の部材とに接続され、水平方向に延びる第３の部材とを備えた移動体とを備え、
前記案内通路は、中途で分岐し、
前記ノズルは、複数で、
複数の前記ノズルは、分岐した前記案内通路の先端にそれぞれ設けられると共に、前記第３の部材に移動自在に取り付けられている
ことを特徴とする液体散布装置。
【請求項２】
タンク内の液体をポンプを介して案内する案内通路と、この案内通路の先端部に取り付けられたノズルで前記液体を散布する液体散布装置であって、
垂直方向に延びる垂直部を有する第１の部材と、この第１の部材の下方に取り付けられた第１の部材用車輪と、垂直方向に延びる垂直部を有する第２の部材と、この第２の部材の下方に取り付けられた第２の部材用車輪と、前記第２の部材と前記第１の部材とに接続され、水平方向に延びる第３の部材とを備えた移動体とを備え、
前記案内通路は、中途で分岐し、
前記ノズルは、少なくとも、第１、第２の側方ノズルを有し、
前記第１、第２の側方ノズルは、分岐した前記案内通路の先端にそれぞれ設けられ、
前記第１の側方ノズルは、前記第１の部材に移動自在に取り付けられ、
前記第２の側方ノズルは、前記第２の部材に移動自在に取り付けられ、
前記第１の側方ノズルの吐出口と前記第２の側方ノズルの吐出口とは、対向するように取り付けられている
ことを特徴とする液体散布装置。
【請求項３】
第１の部材用車輪及び第２の部材用車輪は、畑の地面に当接し、
第３の部材に取り付けられた複数のノズルの吐出口は、前記畑の地面に向かっている
ことを特徴とする請求項１記載の液体散布装置。
【請求項４】
第３の部材の一方側を支持すると共に、前記第３の部材にスライド自在な一方側スライド支持部材と、
この一方側スライド支持部材を前記第３の部材に固定させる一方側スライド支持部材固定手段と、
第１の部材にスライド自在な第１のスライド部材と、
この第１のスライド部材を前記第１の部材に固定させる第１のスライド部材固定手段と、
前記第３の部材の他方側を支持すると共に、前記第３の部材にスライド自在な他方側スライド支持部材と、
この他方側スライド支持部材を前記第３の部材に固定させる他方側スライド支持部材固定手段と、
前記第２の部材にスライド自在な第２のスライド部材と、
この第２のスライド部材を前記第２の部材に固定させる第２のスライド部材固定手段とを備え、
前記一方側スライド支持部材と前記第１のスライド部材が接合され、
前記他方側スライド支持部材と前記第２のスライド部材が接合されている
ことを特徴とする請求項１又は２記載の液体散布装置。
【請求項５】
操作者の把持部が第１の部材又は第２の部材に設けられ、
案内通路の中途での分岐は、分岐元より複数に分岐する金属製の分岐パイプで行うものであり、
前記案内通路の内、タンクと前記金属製の分岐パイプの分岐元とは、ホースで接続され、
操作者に接続された接続部位に前記ホースの中途が接続されている
ことを特徴とする請求項１又は２記載の液体散布装置。
【発明の詳細な説明】
【技術分野】
【０００１】
本発明は、液体散布装置に係り、特に、畝と畝との間の距離が狭い場合に好適な液体散布装置に関する。
【背景技術】
【０００２】
従来、薬剤、水等の液体を散布することができる自走式散布機がある（例えば、特許文献１参照）。
この自走式散布機にあっては、畝と畝との間を自走式散布機が移動できるスペースがある場合にあっては、頗る便利である。
【先行技術文献】
【特許文献】
【０００３】
【特許文献１】実開平１−７３０３２号公報
【発明の概要】
【発明が解決しようとする課題】
【０００４】
しかしながら、畝と畝との間の距離が狭い場合、自走式散布機が使用できないという問題点があった。
【０００５】
本発明は、上記の問題点を除去するようにした液体散布装置を提供することを目的とする。
【課題を解決するための手段】
【０００６】
請求項１記載の液体散布装置は、タンク内の液体をポンプを介して案内する案内通路と、この案内通路の先端部に取り付けられたノズルで前記液体を散布する液体散布装置であって、垂直方向に延びる垂直部を有する第１の部材と、この第１の部材の下方に取り付けられた第１の部材用車輪と、垂直方向に延びる垂直部を有する第２の部材と、この第２の部材の下方に取り付けられた第２の部材用車輪と、前記第２の部材と前記第１の部材とに接続され、水平方向に延びる第３の部材とを備えた移動体とを備え、前記案内通路は、中途で分岐し、前記ノズルは、複数で、複数の前記ノズルは、分岐した前記案内通路の先端にそれぞれ設けられると共に、前記第３の部材に移動自在に取り付けられているいるものである。
【０００７】
また、請求項２記載の液体散布装置は、タンク内の液体をポンプを介して案内する案内通路と、この案内通路の先端部に取り付けられたノズルで前記液体を散布する液体散布装置であって、垂直方向に延びる垂直部を有する第１の部材と、この第１の部材の下方に取り付けられた第１の部材用車輪と、垂直方向に延びる垂直部を有する第２の部材と、この第２の部材の下方に取り付けられた第２の部材用車輪と、前記第２の部材と前記第１の部材とに接続され、水平方向に延びる第３の部材とを備えた移動体とを備え、前記案内通路は、中途で分岐し、前記ノズルは、少なくとも、第１、第２の側方ノズルを有し、前記第１、第２の側方ノズルは、分岐した前記案内通路の先端にそれぞれ設けられ、前記第１の側方ノズルは、前記第１の部材に移動自在に取り付けられ、前記第２の側方ノズルは、前記第２の部材に移動自在に取り付けられ、前記第１の側方ノズルの吐出口と前記第２の側方ノズルの吐出口とは、対向するように取り付けられているものである。
【０００８】
また、請求項３記載の液体散布装置は、請求項１記載の液体散布装置において、第１の部材用車輪及び第２の部材用車輪は、畑の地面に当接し、第３の部材に取り付けられた複数のノズルの吐出口は、前記畑の地面に向かっているものである。
【０００９】
また、請求項４記載の液体散布装置は、請求項１又は２記載の液体散布装置において、第３の部材の一方側を支持すると共に、前記第３の部材にスライド自在な一方側スライド支持部材と、この一方側スライド支持部材を前記第３の部材に固定させる一方側スライド支持部材固定手段と、第１の部材にスライド自在な第１のスライド部材と、この第１のスライド部材を前記第１の部材に固定させる第１のスライド部材固定手段と、前記第３の部材の他方側を支持すると共に、前記第３の部材にスライド自在な他方側スライド支持部材と、この他方側スライド支持部材を前記第３の部材に固定させる他方側スライド支持部材固定手段と、前記第２の部材にスライド自在な第２のスライド部材と、この第２のスライド部材を前記第２の部材に固定させる第２のスライド部材固定手段とを備え、前記一方側スライド支持部材と前記第１のスライド部材が接合され、前記他方側スライド支持部材と前記第２のスライド部材が接合されているものである。
【００１０】
また、請求項５記載の液体散布装置は、請求項１又は２記載の液体散布装置において、操作者の把持部が第１の部材又は第２の部材に設けられ、案内通路の中途での分岐は、分岐元より複数に分岐する金属製の分岐パイプで行うものであり、前記案内通路の内、タンクと前記金属製の分岐パイプの分岐元とは、ホースで接続され、操作者に接続された接続部位に前記ホースの中途が接続されているものである。
【発明の効果】
【００１１】
請求項１記載の液体散布装置によれば、例えば、畝の側部の一方に第１の部材用車輪を、畝の側部の他方に第２の部材用車輪を、それぞれ位置させ、畝を跨ぐように第３の部材を配置し、移動自在に取り付けられた複数のノズルの位置を液体を散布する部位に調整することができるため、畝と畝との間の距離が狭い場合にあっても、畝と畝との間の距離が第１の部材用車輪（又は第２の部材用車輪）が通るスペースがあれば、移動体を移動させて液体を効率良く散布することができる。
【００１２】
また、請求項２記載の液体散布装置によれば、例えば、畝をトンネル状にビニールまたはポリフィルム等の覆体で覆って作物の栽培するトンネル栽培にあっては、覆体の両側面を捲り上げて開口させ、該開口した部位に第１の側方ノズルの吐出口と、第２の側方ノズルの吐出口とを対向させて液体（例えば、薬剤）を散布することができるため、覆体の内部に液体（例えば、薬剤）を効率良く散布することができる。
【００１３】
また、請求項３記載の液体散布装置によれば、上述した請求項１記載の発明の効果に加え、複数のノズルの吐出口は、畑の地面に向かって取り付けられているため、畑に植えられている植物に向かって複数のノズルからの液体を効率良く散布することができる。
【００１４】
また、請求項４記載の液体散布装置によれば、上述した請求項１又は２記載の発明の効果に加え、第３の部材の一方側を支持すると共に、前記第３の部材にスライド自在な一方側スライド支持部材と、この一方側スライド支持部材を前記第３の部材に固定させる一方側スライド支持部材固定手段と、第１の部材にスライド自在な第１のスライド部材と、この第１のスライド部材を前記第１の部材に固定させる第１のスライド部材固定手段と、前記第３の部材の他方側を支持すると共に、前記第３の部材にスライド自在な他方側スライド支持部材と、この他方側スライド支持部材を前記第３の部材に固定させる他方側スライド支持部材固定手段と、前記第２の部材にスライド自在な第２のスライド部材と、この第２のスライド部材を前記第２の部材に固定させる第２のスライド部材固定手段とを備え、前記一方側スライド支持部材と前記第１のスライド部材が接合され、前記他方側スライド支持部材と前記第２のスライド部材が接合されているため、散布する部位の高さ、幅に対応して、液体を散布することができる。
【００１５】
また、請求項５記載の液体散布装置によれば、上述した請求項１又は２記載の発明の効果に加え、操作者の把持部が第１の部材又は第２の部材に設けられ、案内通路の中途での分岐は、分岐元より複数に分岐する金属製の分岐パイプで行うものであり、前記案内通路の内、タンクと前記金属製の分岐パイプの分岐元とは、ホースで接続され、操作者に接続された接続部位に前記ホースの中途が接続されているため、金属製の分岐パイプの分岐元と操作者に接続されたホースの部位との間のホースの動きを規制して、作業性の向上を図ることができる。
【図面の簡単な説明】
【００１６】
【図１】図１は、本発明の一実施例の液体散布装置の使用状態を示す概略的側面図である。
【図２】図２は、図１の液体散布装置の移動体の概略的斜視図である。
【図３】図３は、図２の移動体を分解して示す概略的分解斜視図である。
【図４】図４は、図１の液体散布装置の一使用状態を示す概略的正面図である。
【図５】図５は、図４の使用状態と異なる他の使用状態を示す概略的正面図である。
【図６】図６は、図１の一部を拡大して示す概略的一部拡大平面図である。
【図７】図７は、図４のＡ−Ａ線による概略的拡大断面図である。
【図８】図８は、図４のＢ−Ｂ線による概略的拡大断面図である。
【図９】図９は、図４のＣ−Ｃ線による概略的拡大断面図である。
【図１０】図１０は、図４のＤ−Ｄ線による概略的拡大断面図である。
【図１１】図１１は、図４のＥ−Ｅ線による概略的拡大断面図である。
【図１２】図１２は、図４のＦ−Ｆ線による概略的拡大断面図である。
【図１３】図１３は、図５のＡ’−Ａ’線による概略的拡大断面図である。
【図１４】図１４は、図５のＢ’−Ｂ’線による概略的拡大断面図である。
【発明を実施するための形態】
【００１７】
本発明の一実施例の液体散布装置を図面を参照して説明する。
図１に示すＤは液体散布装置で、液体散布装置Ｄは、例えば、畑に液体（水、薬剤等）を散布するもので、タンク１内の液体をポンプＰ’を介して案内する案内通路２と、この案内通路２の先端部に取り付けられたノズル３で液体を散布するようになっている。
なお、案内通路２は、中途で分岐し、ノズル３は複数で、複数のノズル３は、分岐した案内通路２の先端にそれぞれ設けられると共に、後述する第３の部材８（図２及び図３参照）に取り付けられている。また、３Ｃは、ノズル３からの噴射の有無をコントロールするコックである。
【００１８】
図２及び図３は、液体散布装置Ｄの主要部である移動体Ｍを示すもので、移動体Ｍは、垂直方向に延びる垂直部を有する第１の部材４と、この第１の部材４の下方に取り付けられた第１の部材用車輪５、５と、垂直方向に延びる垂直部を有する第２の部材６と、この第２の部材６の下方に取り付けられた第２の部材用車輪７と、第２の部材６と第１の部材４とに接続され、水平方向に延びる第３の部材８とを備えている。
第１の部材４は、具体的には、側面視、逆略Ｔ字状で、水平部４１と該水平部４１の中途より垂直方向に延びる垂直部４２とを有し、第１の部材４の主要部は、例えば、金属製の角筒部材で形成されている。
また、第１の部材用車輪５、５は、水平部４１の両端部にそれぞれ取り付けられている。
また、第２の部材６の主要部は、第１の部材４の主要部と同様、例えば、金属製の角筒部材で形成されている。
なお、第１の部材４の第３の部材８の接続部位Ｇより上に操作者の把持部Ｈ、Ｈが取り付けられている。
【００１９】
また、図４、図５、図８及び図１４に示す１０は一方側スライド支持部材で、一方側スライド支持部材１０は、第３の部材８の一方側を支持すると共に、第３の部材８にスライド自在となるように、第３の部材８より大きい角筒で形成されている。１１は、一方側スライド支持部材１０を第３の部材８に固定させる一方側スライド支持部材固定手段で、一方側スライド支持部材固定手段１１は、具体的には、雄ネジを一方側スライド支持部材１０に取り付けた雌ねじに螺合させ、雄ネジを一方側スライド支持部材１０の内方にまで設け、雄ネジの端部を第３の部材８の一方側に当接させて、一方側スライド支持部材１０を第３の部材８の一方側に固定するようにしている（図８参照）。
また、図４、図５、図８及び図１４に示す１２は、第１の部材４にスライド自在な第１のスライド部材で、第１のスライド部材１２は、第１の部材４にスライド自在となるように、第１の部材４より大きい角筒で形成されている。
図１４に示す１３は、第１のスライド部材１２を第１の部材４に固定させる第１のスライド部材固定手段で、第１のスライド部材固定手段１３は、具体的には、雄ネジを第１のスライド部材１２に取り付けた雌ねじに螺合させ、雄ネジを第１のスライド部材１２の内方にまで設け、雄ネジの端部を第１の部材４に当接させて、第１のスライド部材１２を第１の部材４に固定するようにしている（図１４参照）。
【００２０】
また、図４、図５、図７及び図１３に示す１５は他方側スライド支持部材で、他方側スライド支持部材１５は、第３の部材８の他方側を支持すると共に、第３の部材８にスライド自在となるように、第３の部材８より大きい角筒で形成されている。１６は、他方側スライド支持部材１５を第３の部材８に固定させる他方側スライド支持部材固定手段で、他方側スライド支持部材固定手段１６は、具体的には、雄ネジを他方側スライド支持部材１５に取り付けた雌ねじに螺合させ、雄ネジを他方側スライド支持部材１５の内方にまで設け、雄ネジの端部を第３の部材８の他方側に当接させて、他方側スライド支持部材１５を第３の部材８の他方側に固定するようにしている（図７参照）。
また、図４、図５、図７及び図１３に示す１７は、第２の部材６にスライド自在な第２のスライド部材で、第２のスライド部材１７は、第２の部材６にスライド自在となるように、第２の部材６より大きい角筒で形成されている。
図１３に示す１８は、第２のスライド部材１７を第２の部材６に固定させる第２のスライド部材固定手段で、第２のスライド部材固定手段１８は、具体的には、雄ネジを第２のスライド部材１７に取り付けた雌ねじに螺合させ、雄ネジを第２のスライド部材１７の内方にまで設け、雄ネジの端部を第２の部材６に当接させて、第２のスライド部材１７を第２の部材６に固定するようにしている（図１３参照）。
そして、一方側スライド支持部材１０と第１のスライド部材１２は、図８及び図１４に示すように、接合（例えば、溶接により接合）され、他方側スライド支持部材１５と第２のスライド部材１７は、図７及び図１３に示すように、接合（例えば、溶接により接合）されている。
【００２１】
このように、第１の部材４の外周に第１のスライド部材１２がスライド自在に取り付けられ、この第１のスライド部材１２に接合された一方側スライド支持部材１０に第３の部材８の一端が着脱自在に取り付けられ、第２の部材６の外周に第２のスライド部材１７がスライド自在に取り付けられ、この第２のスライド部材１７に接合された他方側スライド支持部材１５に第３の部材８の他端が着脱自在に取り付けられているため、第３の部材８を適宜の幅、高さの調整を行うことができ、しかも、第１の部材４、第２の部材６、第３の部材８と個々にそれぞれ分離することができるため、保管スペースを大きく取らないで保管することができる。
また、第３の部材８の一端を一方側スライド支持部材１０に、第３の部材８の他端を他方側スライド支持部材１５に、それぞれスライド自在に支持することができるため、例えば、畝の広狭に対応して液体を散布することができる。
【００２２】
なお、案内通路２の中途での分岐は、分岐元２’ａより複数に分岐（２’ｂ、２’ｃ、２’ｄ、２’ｅ、２’ｆ、２’ｇ）する金属製の分岐パイプ２’で行うようになっている。金属製の分岐パイプ２’は、パイプ支持部材２０に固着されている（図４及び図１０参照）。
また、図３に示す３０は第３’のスライド部材で、第３’のスライド部材３０は、第３の部材８の外周にスライド自在なスライド部３０ａと、このスライド部３０ａより第３の部材８に対して直交して離間するように延びる延出部３０ｂとを有している。
また、図１０に示す３１はパイプ支持部材２０を固定する固定部材で、固定部材３１は、延出部３０ｂの外周にスライド自在なスライド部３１ａと、スライド部３１ａに取り付けられた雌ネジ体３１ｂと、雌ネジ体３１ｂの雌ネジに螺合する雄ネジ体３１ｃとを有している。
従って、雄ネジ体３１ｃは、雌ネジ体３１ｂに設けた雌ねじに螺合し、雄ネジ体３１ｃの先端を延出部３０ｂの外周に当接させて、パイプ支持部材２０を適宜の位置で固定するようにしている。
また、スライド部３０ａは、図９に示すように、固定部材３２により第３の部材８の外周の適宜の位置で固定されるようになっている。固定部材３２は、スライド部３０ａに取り付けられた雌ネジ体３２ａと、雌ネジ体３２ａの雌ネジに螺合する雄ネジ体３２ｂとを有し、雄ネジ体３２ｂの先端を第３の部材８の外周に当接させて、スライド部３０ａを適宜の位置で固定するようにしている。
そして、図３に示すように、複数に分岐する金属製の分岐パイプ２’ｂ、２’ｃ、２’ｄ、２’ｅと複数のノズル３、３、３、３は、それぞれ案内通路２の一部である変形自在なホース２”ｂ、２”ｃ、２”ｄ、２”ｅで湾曲するように接続されている。
また、タンク１と金属製の分岐パイプ２’の分岐元とは、案内通路２の一部であるホース２”で接続され、ホース２”の中途は、操作者Ｐに接続された接続部位Ｂに接続されている（図１及び図６参照）。その結果、金属製の分岐パイプ２’の分岐元と操作者Ｐに接続されたホース２”の部位との間のホース２”の動きを規制して、作業性の向上を図ることができる。
【００２３】
また、図４に示すように、複数のノズル３の内、３（Ａ）は第１の側方ノズル、３（Ｂ）は第２の側方ノズルである。第１、第２の側方ノズル３（Ａ）、３（Ｂ）は、分岐した案内通路２の先端にそれぞれ設けられ、第１の側方ノズル３（Ａ）は、第１の部材４に移動自在に取り付けられ、また、第２の側方ノズル３（Ｂ）は、第２の部材６に移動自在に取り付けられている。そして、図４に示すように、第１の側方ノズル３（Ａ）の吐出口と第２の側方ノズルの吐出口３（Ｂ）とは、対向するように取り付けられている。
そのため、例えば、図５に示すように、畝をトンネル状にビニールまたはポリフィルム等の覆体４０で覆って作物の栽培するトンネル栽培にあっては、覆体４０の両側面を捲り上げて開口させ、該開口した部位４０Ａ、４０Ｂに第１の側方ノズル３（Ａ）の吐出口と、第２の側方ノズル３（Ｂ）の吐出口とを対向させて液体（例えば、薬剤）を散布することができ、その結果、覆体４０の内部に液体（例えば、薬剤）を効率良く散布することができることとなる。
【００２４】
なお、図４に示すノズル３は、ノズル支持部材３５に固着されている。ノズル支持部材３５は、固定部材３６により適宜の位置で固定されるようになっている。固定部材３６は、第３の部材８の外周にスライド自在なスライド部３６ａと、このスライド部３６ａに設けた設けた雌ネジ体３６ｂと、雌ネジ体３６ｂに螺合する雄ネジ体３６ｃとを有し、雄ネジ体３６ｃの先端で第３の部材８の外周の適宜の位置で固定するようにしている（図１１参照）。
また、図４に示すノズル３（Ａ）は、ノズル支持部材３７に固着されている。ノズル支持部材３７は、固定部材３８により適宜の位置で固定されるようになっている。固定部材３８は、第１の部材４の外周にスライド自在なスライド部３８ａと、このスライド部３８ａに設けた設けた雌ネジ体３８ｂと、雌ネジ体３８ｂに螺合する雄ネジ体３８ｃとを有し、雄ネジ体３８ｃの先端で第１の部材４の外周の適宜の位置で固定するようにしている（図１２参照）。
また、図４に示すノズル３（Ｂ）は、ノズル支持部材（図示しないが、ノズル支持部材３７と同様のものである。）に固着されている。ノズル支持部材（図示しないが、ノズル支持部材３７と同様のものである。）は、固定部材（図示しないが、固定部材３８と同様のものである。）により適宜の位置で固定されるようになっている。固定部材（図示しないが、固定部材３８と同様のものである。）は、第２の部材６の外周にスライド自在なスライド部（図示しないが、スライド部３８ａと同様のものである。）と、このスライド部（図示しないが、スライド部３８ａと同様のものである。）に設けた雌ネジ体（図示しないが、雌ネジ体３８ｂと同様のものである。）と、雌ネジ体（図示しないが、雌ネジ体３８ｂと同様のものである。）に螺合する雄ネジ体（図示しないが、雄ネジ体３８ｃと同様のものである。）とを有し、雄ネジ体（図示しないが、雄ネジ体３８ｃと同様のものである。）の先端で第２の部材６の外周の適宜の位置で固定するようにしている。
【００２５】
従って、上述した液体散布装置Ｄによれば、例えば、図４に示すように、畝５０の側部の一方に第１の部材用車輪５を、畝５０の側部の他方に第２の部材用車輪７を、それぞれ位置させ、畝５０を跨ぐように第３の部材８を配置し、移動自在に取り付けられた複数のノズル３の位置を液体を散布する部位に調整することができるため、畝５０と畝５０との間の距離が狭い場合にあっても、畝５０と畝５０との間の距離が第１の部材用車輪４（又は第２の部材用車輪６）が通るスペースがあれば、移動体Ｍを移動させて液体を効率良く散布することができる。
なお、操作者Ｐに接続された接続部位Ｂにホース３”の中途を接続するため、金属製の分岐パイプ３’の分岐元と操作者Ｐに接続されたホース３”の部位との間のホースの弛み等を防いで作業性の向上を図ることができる。
【符号の説明】
【００２６】
Ｄ      液体散布装置
Ｍ      移動体
Ｐ’    ポンプ
１      タンク
２      案内通路
３      ノズル
４      第１の部材
５      第１の車輪
６      第２の部材
７      第２の車輪
８      第３の部材
【図１】
2012231685.tif 000003
【図２】
2012231685.tif 000004
【図３】
2012231685.tif 000005
【図４】
2012231685.tif 000006
【図５】
2012231685.tif 000007
【図６】
2012231685.tif 000008
【図７】
2012231685.tif 000009
【図８】
2012231685.tif 000010
【図９】
2012231685.tif 000011
【図１０】
2012231685.tif 000012
【図１１】
2012231685.tif 000013
【図１２】
2012231685.tif 000014
【図１３】
2012231685.tif 000015
【図１４】
2012231685.tif 000016